(57)【要約】【課題】  カタログの配布に要する配布手数料に見合った商品の売り上げを計上することが可能となり、商品の採算性を安定に確保し得るカタログを提供することを目的とする。【解決手段】  商品が掲載される紙質シート１を有するカタログであって、該紙質シート１の少なくとも一部に、数字、文字、記号、図柄等の第一標章が記録される標章記録部分２が設けられ、該標章記録部分２は、前記第一標章が前記顧客による選択とは無関係に選択された第二標章と照合されることであたり・はずれが決定されるくじを構成していることを解決手段とする。【選択図】  図１
2005169975.tif 000002
【特許請求の範囲】
【請求項１】
商品が掲載される紙質シート（１）を有するカタログであって、該紙質シート（１）の少なくとも一部に、数字、文字、記号、図柄等の第一標章が記録される標章記録部分（２）が設けられ、該標章記録部分（２）は、前記第一標章が該第一標章とは無関係に選択された第二標章と照合されることであたり・はずれが決定されるくじを構成していることを特徴とするカタログ。
【請求項２】
前記第一標章は、顧客が自ら選択したものである請求項１に記載のカタログ。
【請求項３】
前記標章記録部分（２）が紙質シート（１）の一部に設けられ、標章記録部分（２）と紙質シート（１）との境界には、該標章記録部分（２）を紙質シート本体から切り取り可能とする切取り線（３）が設けられている請求項１または２に記載のカタログ。
【発明の詳細な説明】
【技術分野】
【０００１】
本発明は、カタログに関し、詳しくは、カタログの配布に要する配布手数料に見合った商品の売り上げを計上し得るカタログに関する。
【背景技術】
【０００２】
従来より、商品が掲載されたカタログを商品購入者である顧客に配布することにより、商品の売り上げを促進させる、いわゆるカタログ通信販売が行われている。これによれば、顧客がわざわざ店舗に出向かなくとも、各家庭で、都合の良い時間に、じっくりと商品を選択できる利点があるため、特に近年、多用されるようになっている。
【０００３】
このカタログの配布は、通常、商品販売元が配布業者に委託して行われるが、その配布手数料は、商品の売り上げを見込んで設定されているため、カタログ掲載の商品が順調に受注され、十分な売り上げが計上されれば問題はないが、売り上げが予測を下回った場合には、商品の売り上げ高中に占める配布手数料の割合が上昇し、商品の採算性が低下する問題があった。
【発明の開示】
【発明が解決しようとする課題】
【０００４】
本発明は、上述した問題に鑑みてなされたものであり、カタログの配布に要する配布手数料に見合った商品の売り上げを計上することが可能となり、商品の採算性を安定に確保し得るカタログを提供することを目的とする。
【課題を解決するための手段】
【０００５】
本発明に係るカタログは、商品が掲載される紙質シートを有するカタログであって、該紙質シートの少なくとも一部に、数字、文字、記号、図柄等の第一標章が記録される標章記録部分が設けられ、該標章記録部分は、前記第一標章が該第一標章とは無関係に選択された第二標章と照合されることであたり・はずれが決定されるくじを構成していることを特徴とする。
【０００６】
該カタログによれば、顧客が獲得するくじの当選金の総額は、カタログが配布された顧客の数に略比例して増加することから、例えば、くじの当選金を予め所定額に設定しておき、くじの当選金の総額に略比例した額の配布手数料が配布業者に支払われるようにしておくことにより、配布業者には、より多くの顧客にカタログを配布しようとする動機づけが与えられる一方、より多くの顧客にカタログが配布されることで商品の売り上げ高も増加する。
【０００７】
前記カタログにあっては、前記第一標章は、顧客が自ら選択したものであることが好ましい。
【０００８】
上記好ましい構成によれば、顧客の発意によって第一標章を選択することが可能となり、くじの興趣が高められる。
【０００９】
前記カタログにあっては、前記標章記録部分が紙質シートの一部に設けられ、標章記録部分と紙質シートとの境界には、該標章記録部分を紙質シート本体から切り取り可能とする切取り線が設けられていることが好ましい。
【００１０】
上記好ましい構成によれば、切取り線において標章記録部分をハサミ等により紙質シート本体から容易に切り取ることができ、該切り取られた標章記録部分のみを郵送等により商品販売元に送付することが可能となる。
【発明の効果】
【００１１】
以上のように、本発明に係るカタログによれば、カタログの配布に要する配布手数料に見合った商品の売り上げを計上することが可能となり、商品の採算性を安定に確保することができる。
【発明を実施するための最良の形態】
【００１２】
以下、本発明に係るカタログの一実施形態について図面を参照しながら説明する。図１は、本実施形態のカタログの全体斜視図である。該カタログは、商品が掲載される紙片（紙質シート）１を有しており、該紙片１の少なくとも一部に、半券２が設けられている。尚、図１に示すカタログは、前記紙片１を複数枚有して冊子状に製本されており、前記半券２は、該複数枚の紙片１，…の一部（一枚）、即ち、冊子の裏表紙（冊子の最終頁）１ａに設けられている。
【００１３】
図２（ａ）に、該裏表紙１ａを拡大して示す。このように、前記半券２は、裏表紙１ａの下端部に矩形状に設けられている。そして、前記半券２と裏表紙本体１ｂとの境界には、半券２を裏表紙本体１ｂから切り取り可能とする切取り線３が設けられている。該切取り線３は、詳しくは、裏表紙１ａ上にインクで描画された破線であり、裏表紙１ａの下縁に略平行に描画された直線状の横線３ａと、冊子の綴じ部４に略平行に描画された縦線３ｂとから構成されている。そして、図２（ｂ）に示すように、この切取り線３に沿ってハサミ１０等で裏表紙１ａを切断すると、半券２を裏表紙本体１ｂから分離することができる。
【００１４】
前記半券２は、顧客が自ら選択した数字、文字、記号、図柄等の第一標章が記録される標章記録部分である。即ち、本実施形態においては、図３に示すように、半券２の一の領域には、複数（ここでは、４）桁の数字（第一標章）が記入できるように複数（４つ）の升目５，…が並んで設けられており、顧客、即ち、カタログを閲覧してその中の好きな商品を選んで購入する者は、自ら選択した数字（０〜９）の内の任意の一つを各升目５にポールペン等の筆記具で記入する。尚、半券２の他の領域には、顧客の氏名、住所、電話番号等の顧客管理情報を記入する顧客管理情報記入欄６が設けられている。
【００１５】
前記半券２は、前記複数（４）桁の数字が、顧客による選択とは無関係に選択された複数（４）桁の数字（第二標章）と照合されることであたり・はずれが決定されるくじを構成している。
【００１６】
該くじについて詳しく説明すると、図４（ａ）に示すように、まず、商品販売元（代理店）１１が配布業者１２に本実施形態のカタログの配布を委託する。そして、該配布業者１２は、複数の顧客１３，…（図４（ａ）では、一の顧客１３のみ表記しているが、実際には顧客１３は複数存在する。）にそれぞれカタログを配布する。
【００１７】
次いで、各顧客１３が、カタログの半券２の各升目５（図３参照）に自ら選択した数字（０〜９）の内の任意の一つをボールペン等の筆記具で順次記入していくと、これにより複数（４）桁の数字が構成され、半券２に当該複数（４）桁の数字が記録される（ここでは、００００〜９９９９の範囲のいずれかの数字〔自然数〕が記録される）。このようにして記録された数字を「記録数字」（第一標章）とする。尚、この際また、各顧客１３は、半券２の顧客管理情報記入欄６（図３参照）に必要な情報をボールペン等の筆記具で記入する。
【００１８】
続いて、図３および図４（ａ）を参照して、各顧客１３は、切取り線３（横線３ａ、縦線３ｂ）に沿ってハサミ等で裏表紙１ａを切断し、該裏表紙１ａから半券２を切り取る。そして、該切り取られた半券２を葉書に貼り付けるか、または封書に封入して商品販売元（代理店）１１に所定期日までに送付する。このようにファクシミリ等の手段によらず、半券２の現物を送付することで、例えば、半券２を特殊インクでカラー化しておくこと等で複製が困難としておけば、半券２を送付した者が実際にカタログが配布された顧客１３であるか否かを容易に判別できるようになる。
【００１９】
一方、商品販売元（代理店）１１においては、前記記録数字とは無関係に別途、複数（４）桁の数字（ここでは、００００〜９９９９の範囲のいずれかの数字〔自然数〕）を、適当な数字選択手段により選択する。具体的には、ルーレットを所定回数（ここでは、２〜４回）打って出た数字を順次選択しても良いし、より高い公正性を担保するため、前記所定期日後に公表された、全国自治宝くじ事務協議会が主催する「ナンバーズ」の複数（４）桁の数字を選択しても良い。そして、このようにして選択した数字を「当選数字」（第二標章）とする。
【００２０】
そして、商品販売元（代理店）１１は、前記記録数字と当選数字を照合してあたり・はずれを決定する。即ち、例えば、記録数字が当選数字と全ての数字もその並びも同じ場合、および、記録数字が当選数字と全ての数字が同じで順番が異なる場合に、それぞれ「ストレート当選」、「ボックス当選」（あたり）とし、それら以外の場合、即ち、記録数字が当選数字と少なくとも一の数字が異なる場合に、「落選」（はずれ）と決定する。
【００２１】
しかる後に、商品販売元（代理店）１１は、前記当選数字を適当な通知手段、例えば、通知メールで各顧客１３に通知する。そして、各顧客１３は、自己の送付した半券２のあたり・はずれを確認して、あたりの場合には、適当な通知手段、例えば、前記通知メールの返信によって商品販売元（代理店）１１に通知し、その後くじの当選金を受け取る。この当選金は、商品販売元１１が前記「ストレート当選」、「ボックス当選」毎に予め所定額に設定しておく（「ストレート当選」は、「ボックス当選」よりも当選金を高額に設定しておく）。したがって、くじの当選金の総額は、カタログの配布部数、換言すれば、カタログが配布された顧客の数に略比例して増加することとなる。
【００２２】
上述した如くの本実施の形態のカタログによれば、例えば、複数の顧客１３，…が獲得したくじの当選金の総額に略比例した額の配布手数料（例えば、くじの当選金の総額の１／１０）が配布業者１２に支払われるようにしておくことにより、配布業者１２には、より多くの顧客１３にカタログを配布しようとする動機づけが与えられる一方、より多くの顧客１３にカタログが配布されることで商品の売り上げ高が増加するので、カタログの配布に要する配布手数料に見合った商品の売り上げを計上することが可能となり、商品の採算性を安定に確保することができる。
【００２３】
ここで、複数の配布業者１２，…にカタログの配布を委託する場合は、カタログおよび半券２にコード番号（通し番号）を付して各カタログおよび半券２を識別可能とし、所定の範囲のコード番号が付されたカタログの配布を特定の配布業者１２に委託する等して、該コード番号が付されたカタログを配布する配布業者１２を特定可能とし、該配布業者１２がカタログを配布した複数の顧客１３，…が獲得したくじの当選金の総額に略比例した額の配布手数料が、その配布業者１２に支払われるようにしておけば良い。尚、このコード番号は、例えば、カタログおよび半券２に通し番号（例えば、図３中の番号７）を印字すること等で記録しておくことができる。
【００２４】
尚、本発明は、上記実施形態に限定されず、本発明が意図する範囲で、種々の形態の実施が可能である。
【００２５】
上記実施形態のカタログでは、商品が掲載される紙質シート１の少なくとも一部に、顧客が自ら選択した複数（４）桁の数字（第一標章）が記録される半券（標章記録部分）２を設け、該半券２は、前記複数（４）桁の数字が前記顧客１３による選択とは無関係に選択された複数（４）桁の数字（第二標章）と照合されることであたり・はずれが決定されるくじを構成したが、第一標章を、それぞれ複数（４）桁の通し番号（例えば、４桁の数字の場合は００００、０００１、０００２、…、９９９７、９９９８、９９９９）とし、商品が掲載される紙質シート１の少なくとも一部に、通し番号である複数（４）桁の数字（第一標章）が記録される半券（標章記録部分）２を設け、該半券２は、前記複数（４）桁の数字が前記顧客１３による選択とは無関係に選択された複数（４）桁の数字（第二標章）と照合されることであたり・はずれが決定されるくじを構成することもできる。この場合、第一標章としては、上記したカタログおよび半券２を識別するためのコード番号を用いることも可能である。
【００２６】
また、上記実施形態では、くじの当選金を予め所定額に設定しておいたが、本発明はこれに限定されず、複数の配布業者１２，…にカタログの配布を委託する場合にあっては、各カタログおよび半券２にそれぞれ異なるコード番号を付与して該カタログを配布する配布業者１２を特定可能とする一方、図４（ｂ）を参照して、予め、くじの当選金および配布手数料に充当される所定額の当選プール金１４を用意（拠出）しておくこともできる。これによれば、該当選プール金１４からくじの当選金が各顧客１３に支払われる（ここで、くじの当選金の額は、当選プール金１４をくじの当選者の数、および、くじの等級〔例えば、上述した「ストレート当選」や「ボックス当選」等〕の当選確率に応じて按分して決定する。）ようにし、且つ、前記特定された配布業者１２がカタログを配布した複数の顧客１３，…が獲得したくじの当選金の総額に略比例した額の配布手数料がその配布業者１２に支払われるようにしておくことが可能となる。
【００２７】
したがって、一の配布業者１２においては、他の配布業者１２よりもカタログを配布する顧客１３の数が増加すると、それに応じて獲得する配布手数料が他の配布業者１２より必然的に増加するので、異なる配布業者１２間で競争意識が生じ、一の配布業者１２により多くの顧客１３にカタログを配布しようとする動機づけが与えられる一方、くじの当選金および配布手数料は、前記した所定額の当選プール金１４の範囲内で支払われるので、カタログの配布に要する配布手数料に見合った商品の売り上げを計上することが可能となり、商品の採算性を安定に確保することができる。
【００２８】
また、上記実施形態では、半券（標章記録部分）２は、顧客により任意に選択された選択数字、即ち、複数桁の数字が、前記顧客１３による選択とは無関係に選択された当選数字、即ち、同じく複数桁の数字と照合されることであたり・はずれが決定されるくじを構成したが、本発明はこれに限定されず、そのような複数桁の数字の代わりに、数字、文字、記号、および図柄からなる群から選ばれる少なくとも１種以上の標章または標章の組み合わせを使用することも可能である。また、半券２への標章の記録方法としては、ボールペン等の筆記具により直接標章を記入する方法の他、例えば、予め紙片１に印刷してある標章毎に対応して設けた升目に「レ」記号を記す方法によって行うことも可能である。
【００２９】
更に、上記実施形態では、標章記録部分を、切取り線３において裏表紙１ａ本体から切り取って分離することができる半券２としたが、本発明はこれに限定されず、該標章記録部分は、カタログ自体とすることもできるし、切取り線３をインクで描画する代わりにミシン目とすることにより、ハサミ等の切り取り手段によらずに素手で当該切取り線３に沿って切り取り可能とすることもできる。また、標章記録部分をカタログとは別体化した紙片により構成し、裏表紙（紙質シート）１ａの一部に該紙片が挿入保持される挿入保持手段（例えば、紙片ポケット）を設けて、該挿入保持手段により取出し可能に保持させても良い。
【図面の簡単な説明】
【００３０】
【図１】図１は、本発明の一実施形態に係るカタログの全体斜視図である。
【図２】図２（ａ）は、同カタログの裏表紙の平面図であり、図２（ｂ）は、該裏表紙本体から半券が切り取られる状態を示す平面図である。
【図３】図３は、同カタログにおける半券部分の拡大平面図である。
【図４】図４（ａ）は、同カタログ配布を含むビジネスモデルの説明図であり、図４（ｂ）は、本発明の別の実施形態に係るカタログ配布を含むビジネスモデルの説明図である。
【符号の説明】
【００３１】
１…紙片（紙質シート）、２…半券（標章記録部分）、３…切取り線
【図１】
2005169975.tif 000003
【図２】
2005169975.tif 000004
【図３】
2005169975.tif 000005
【図４】
2005169975.tif 000006